(57)【特許請求の範囲】
【請求項１】
背負い具本体の上部に設けられた取付け部に対して着脱自在な第１のフックを上部肩ひもの一端に設け、前記上部肩ひもの下端部に係脱自在な係脱具の一方を設け、また前記上部肩ひもの下端部に長尺の調整ひもの一端を固着し、この調整ひもをリング、前記係脱具の他方に順次挿通し、更に調整具のひも掛け部に挿通して摩擦係合させ、前記リング及び前記調整具を連結帯に取付け、背負い具本体の下部に設けられた取付け部に対して着脱自在な第２のフックを前記連結帯に取付けたことを特徴とする背負い具用ひも。
【請求項２】
請求項１記載の背負い具用ひもの第１及び第２のフックを背負い具本体の上部及び下部の取付け部に取付けたことを特徴とする背負い具。
【請求項３】
背負い具本体の上部に上部肩ひもの一端を固着し、前記上部肩ひもの下端部に係脱自在な係脱具の一方を設け、また前記上部肩ひもの下端部に長尺の調整ひもの一端を固着し、この調整ひもをリング、前記係脱具の他方に順次挿通し、更に調整具のひも掛け部に挿通して摩擦係合させ、前記リング及び前記調整具を連結帯に取付け、この連結帯を背負い具本体の下部に固着したことを特徴とする背負い具。
【請求項４】
背負い具本体の下部に設けられた取付け部に対して着脱自在な第２のフック及び係脱具の他方を長尺の調整ひもの一端に設け、前記調整ひもをリング、前記係脱具の一方に順次挿通し、更に調整具のひも掛け部に挿通して摩擦係合させ、前記リング及び前記調整具を輪部を形成する連結帯に取付け、この連結帯を上部肩ひもの下端部に固着し、前記上部肩ひもの上端部に背負い具本体の上部に設けられた取付け部に対して着脱自在な第１のフックを設けたことを特徴とする背負い具用ひも。
【請求項５】
請求項４記載の背負い具用ひもの第１及び第２のフックを背負い具本体の上部及び下部の取付け部に取付けたことを特徴とする背負い具。
【請求項６】
背負い具本体の下部に長尺の調整ひもの一端を固着し、この調整ひもの一端に係脱具の他方を設け、前記調整ひもをリング、前記係脱具の一方に順次挿通し、更に調整具のひも掛け部に挿通して摩擦係合させ、前記リング及び前記調整具を輪部を形成する連結帯に取付け、この連結帯を上部肩ひもの下端部に固着し、前記上部肩ひもの上端部を背負い具本体の上部に固着したことを特徴とする背負い具。
【発明の詳細な説明】
【０００１】
【発明の属する技術分野】
本発明は背負い具用ひも及び背負い具に関する。
【０００２】
【従来の技術】
従来、背負い具本体内の収納物を取り出す場合、背負い具を下ろさないで背負った背負い具本体を体の前側に持ってくることができ、また逆に体の前側の背負い具本体を容易に背負うことができる背負い具として、例えば特開平８−１１７０２６号公報、特開平９−１６８４２５号公報に示すものが知られている。この背負い具は、背負い具本体の上部に２個の上部肩ひもの一端が取付けられ、背負い具本体の下部の左右には連結具が挿通された取付け帯が取付けられ、前記一方の上部肩ひもの下端部に係脱自在な係脱具の一方を設け、また前記上部肩ひもの下端部に長尺の調整ひもの一端を固着し、この調整ひもを調整具、前記係脱具の他方、前記調整具及び前記一方の連結具に順次挿通し、更に前記調整具のひも掛け部に挿通して摩擦係合させた構成となっている。
【０００３】
しかし、上記背負い具は、調整具が可動式となっているため、調整ひもの長さが最適寸法からはずれてしまうことがあった。そこで、例えば特願平１０−２７４５７７に示すように、前記調整具と前記取付け帯に一対の着脱可能な止め具を設け、バッグ本体を背負った状態において、調整具をバッグ本体の下部側に常に位置するように調整することができ、背負ったバッグ本体を体の前側に持ってくるに充分な長尺のひもとすることができる背負い具が提供されている。
【０００４】
【発明が解決しようとする課題】
上記従来技術は、調整具と取付け帯とを止め具で止めた状態においては、調整具は必ず連結具の近くにある。従って、調整ひもの長さを最適寸法に調整して前記止め具で調整具を取付け帯に取付けた状態においては、調整ひもの長さを最適寸法に保持することができる。しかし、止め具を外した状態においては、調整具は可動であるので、調整ひもの長さが最適寸法からずれてしまうことがあった。また調整ひもを長く又は短くする際には、調整具を動かしてから調整ひもの長さを調整する必要があり、操作が面倒であった。また一対の止め具及び該一対の止め具をそれぞれ保持するための保持部材を必要とし、部品点数が増えてコスト高になる。
【０００５】
本発明の課題は、最適寸法に調整された調整ひもの長さが変化しなく快適に使用でき、かつ最適寸法の調整を容易に行なうことができ、また部品点数が削減できてコスト低減が図れる背負い具用ひも及び背負い具を提供することにある。
【０００６】
【課題を解決するための手段】
上記課題を解決するための本発明の請求項１の背負い具用ひもは、背負い具本体の上部に設けられた取付け部に対して着脱自在な第１のフックを上部肩ひもの一端に設け、前記上部肩ひもの下端部に係脱自在な係脱具の一方を設け、また前記上部肩ひもの下端部に長尺の調整ひもの一端を固着し、この調整ひもをリング、前記係脱具の他方に順次挿通し、更に調整具のひも掛け部に挿通して摩擦係合させ、前記リング及び前記調整具を連結帯に取付け、背負い具本体の下部に設けられた取付け部に対して着脱自在な第２のフックを前記連結帯に取付けたことを特徴とする。
【０００７】
上記課題を解決するための本発明の請求項２の背負い具は、請求項１記載の背負い具用ひもの第１及び第２のフックを背負い具本体の上部及び下部の取付け部に取付けたことを特徴とする。
【０００８】
上記課題を解決するための本発明の請求項３の背負い具は、背負い具本体の上部に上部肩ひもの一端を固着し、前記上部肩ひもの下端部に係脱自在な係脱具の一方を設け、また前記上部肩ひもの下端部に長尺の調整ひもの一端を固着し、この調整ひもをリング、前記係脱具の他方に順次挿通し、更に調整具のひも掛け部に挿通して摩擦係合させ、前記リング及び前記調整具を連結帯に取付け、この連結帯を背負い具本体の下部に固着したことを特徴とする
【０００９】
上記課題を解決するための本発明の請求項４の背負い具用ひもは、背負い具本体の下部に設けられた取付け部に対して着脱自在な第２のフック及び係脱具の他方を長尺の調整ひもの一端に設け、前記調整ひもをリング、前記係脱具の一方に順次挿通し、更に調整具のひも掛け部に挿通して摩擦係合させ、前記リング及び前記調整具を輪部を形成する連結帯に取付け、この連結帯を上部肩ひもの下端部に固着し、前記上部肩ひもの上端部に背負い具本体の上部に設けられた取付け部に対して着脱自在な第１のフックを設けたことを特徴とする。
【００１０】
上記課題を解決するための本発明の請求項５の背負い具は、請求項４記載の背負い具用ひもの第１及び第２のフックを背負い具本体の上部及び下部の取付け部に取付けたことを特徴とする。
【００１１】
上記課題を解決するための本発明の請求項６の背負い具は、背負い具本体の下部に長尺の調整ひもの一端を固着し、この調整ひもの一端に係脱具の他方を設け、前記調整ひもをリング、前記係脱具の一方に順次挿通し、更に調整具のひも掛け部に挿通して摩擦係合させ、前記リング及び前記調整具を輪部を形成する連結帯に取付け、この連結帯を上部肩ひもの下端部に固着し、前記上部肩ひもの上端部を背負い具本体の上部に固着したことを特徴とする。
【００１２】
【発明の実施の形態】
本発明の一実施の形態を図１乃至図５により説明する。図３に示すように、バッグ本体１の上部には、図４及び図５に示す背負い具用ひも１０、２０の上部を着脱自在に取付ける輪部よりなる取付け部２が設けられている。バッグ本体１の下部の左右には、背負い具用ひも１０、２０の下部を着脱自在に取付ける取付け部３Ａ、３Ｂが設けられている。取付け部３Ａ、３Ｂは、リング４Ａ、４Ｂが取付け帯５Ａ、５Ｂを介してバッグ本体１の下部に取付けられている。
【００１３】
図４は本発明の特徴とする一方の背負い具用ひも１０を示す。上部肩ひも１１の上端部には周知のフック１２が取付けられている。上部肩ひも１１の下端部側の表面には、該上部肩ひも１１に一端部側が固定された長尺の調整ひも１３を介して周知の係脱可能な係脱具１４の一方１４ａが取付けらている。調整ひも１３の他方端側は、リング１５に挿通した後に係脱具１４の他方１４ｂに挿通し、そして調整具１６のひも掛け部１６ａの両側に挿通されて折り返されている。このひも掛け部１６ａに掛けられた調整ひも１３の部分はひも掛け部１６ａに摩擦係合する。リング１５及び調整具１６は、連結帯１７に挿入されており、連結帯１７には周知のフック１８が取付けられている。
【００１４】
図５は他方の背負い具用ひも２０を示す。背負い具用ひも２０は、従来と同じ構成よりなっている。上部肩ひも２１の上端部には周知のフック２２が取付けられている。上部肩ひも２１の下部には連結帯２３が固定され、連結帯２３の先端部には周知の調整具２４が取付けられている。調整具２４には調整帯２５が挿通され、調整帯２５の一端には周知のフック２６が設けられている。
【００１５】
そこで、図１に示すように、背負い具用ひも１０のフック１２を取付け部２に取付け、フック１８を取付け部３Ａのリング４Ａに取付ける。また図示しないが、背負い具用ひも２０のフック２２をフック１２の左側に位置するように取付け部２に取付け、フック２６を図３に示す取付け部３Ｂのリング４Ｂに取付ける。この状態でバッグ本体１を背中に背負う。
【００１６】
次に調整ひも１３を最適寸法に調整する場合について説明する。係脱具１４から連結帯１７までの調整ひも１３の部分の長さを短くする場合には、調整ひも１３の他端部１３ａを上方に引っ張る。これにより、３重の部分１３ｂ、１３ｃ、１３ｄである係脱具１４とリング１５間の長さ及び係脱具１４と調整具１６間の長さが短くなる。係脱具１４から連結帯１７までの調整ひも１３の部分を長くするには、調整具１６の上部を左指で起こした状態にする。これにより、調整ひも１３に対する調整具１６のひも掛け部１６ａの摩擦係合が弱められる。そこで、この状態を維持し、右指で１番上側の部分１３ｂを下から上に引くと、調整具１６より外に出ている他端部１３ａが中に引き込まれ、３重部分１３ｂ、１３ｃ、１３ｄの全体の長さが長くなる。これにより、使用する人に最適になるように背負い具用ひも１０の長さを自由に調整できる。
【００１７】
このように、調整具１６を上下に動かさないで、単に調整ひも１３を引っ張る動作により調整ひも１３の長さを最適寸法に調整できる。また調整具１６は連結帯１７を介してフック１８に取付けられているので、上下に動かない。このため、最適寸法に調整された調整ひも１３の長さは変化しなく、快適に使用できる。また従来より部品点数も少なく、コストダウンが図れる。
【００１８】
背負ったバッグ本体１より収納物を取り出す動作は従来の同様である。即ち、図２に示すように、係脱具１４（１４ａと１４ｂ）を分離する。そして、他方の背負い具用ひも２０を引っ張ってバッグ本体１を体の前側に移動させると、この動作によって上部肩ひも１１が引っ張られることにより、調整具１６より垂れ下がっている調整ひも１３の部分１３ｂ、１３ｃが伸びて長尺の肩ひもとなるので、容易にバッグ本体１を体の前側に移動させることができる。
【００１９】
また本実施の形態は、背負い具用ひも１０、２０の両端にフック１２、１８及び２２、２６がそれぞれ取付けられているので、従来技術と同様に、背負い具用ひも１０と２０の取付け位置を変えることにより、左利き及び右利きの両方に適用できる。
【００２０】
図６は本発明の背負い具の他の実施の形態を示す。前記実施の形態は、バッグ本体１に背負い具用ひも１０、２０を着脱自在に取付けた。本実施の形態は、前記実施の形態のフック１２、１８及び２２、２６を取り除き、背負い具用ひも１０、２０をバッグ本体１に取付けた。即ち、一方の背負い具用ひも１０は、上部肩ひも１１の上端を直接バッグ本体１の上部に固着し、また連結帯１７を直接バッグ本体１の下部に固着している。他方の背負い具用ひも２０は、従来と同様に上端及び下端がバッグ本体１の上部及び下部に固着されている。このように構成しても、前記実施の形態の左利き及び右利きの利点を除いて同様の効果が得られる。
【００２１】
図７は本発明の背負い具用ひも１０の他の実施の形態を示す。なお、前記実施の形態と同じ又は相当部材には同一符号を付し、その詳細な説明は省略する。本実施の形態は、図４に示す背負い具用ひも１０の係脱具１４と連結帯１７間の部分を上下逆にしたものである。即ち、背負い具本体１の下部に設けられた取付け部３Ａに対して着脱自在なフック１８及び係脱具１４の他方１４ｂを長尺の調整ひも１３の一端に設けている。そして、調整ひも１３をリング１５、係脱具１４の一方１４ａに順次挿通し、更に調整具１６のひも掛け部１６ａに挿通して摩擦係合させる。前記リング１５及び前記調整具１６を輪部を形成する連結帯１７に取付け、この連結帯１７を上部肩ひも１１の下端部に固着し、上部肩ひも１１の上端部に背負い具本体１の上部に設けられた取付け部２に対して着脱自在なフック１２を設けた。このように構成しても前記実施の形態と同様の効果が得られる。また本実施の形態においても、図２の場合と同様に、フック１２、１８を除いて直接バッグ本体１に取付けてもよいことは言うまでもない。
【００２２】
図８は特許第２９３８３８３号に開示されているバンド用ひも３０を示す。このバンド用ひも３０を用いた場合について説明する。バンドひも３１は、図１及び図４に示す係脱具１４の一方（雌部）１４ａと同じ構造の雌部１４ｃに挿通され、バンドひも３１の一端部３１ａは、周知の調整具３２に挿通されて折り返され、折り返し部３１ｂに近い部分に固定されている。バンドひも３１の他端部３１ｃは、前記調整具３２に挿通された後、周知のフック３３に取付けられている。そこで、図１に示すように、背負い具用ひも１０のフック１８を取付け部３Ａのリング４Ａに取付けた場合は、バンド用ひも３０のフック３３は図３に示す取付け部３Ｂのリング４Ｂに取付ける。即ち、背負い具用ひも２０が取付けられた取付け部３Ｂに取付ける。
【００２３】
この状態でバッグ本体１を背中に背負った場合には、係脱具１４の雌部１４ａより雄部１４ｂを分離し、雄部１４ｂをバンド用ひも３０の雌部１４ｃに係合させてもよい。これにより、雄部１４ｂ側の調整ひも１３とバンド用ひも３０が胴部に巻き付いてバッグ本体１が背中に密着した状態となるので、歩く時に生じるバッグ本体１の揺れを防止することができる。
【００２４】
なお、他方の背負い具用ひも２０の上端及び下端をバッグ本体１の上部及び下部に固着した場合には、バンド用ひも３０は、図５に示す調整帯２５の一端が固着されたバッグ本体１の部分に固定してもよく、また図３に示す取付け部３Ｂを設け、この取付け部３Ｂに着脱自在に設けてもよい。このように形成しても、係脱具１４（１４ａと１４ｂ又は１４ｂと１４ｃ）を分離すると、調整ひも１３は伸長することができ、前記実施の形態と同様に、背負い具用ひも２０Ａを首に掛けるようにしてバッグ本体１を体の前側に移動させることができる。またバッグ本体１を背負った状態で、雄部１４ｂと雌部１４ｃとを係合させると、歩く時のバッグ本体１の揺れを防止することができる。
【００２５】
【発明の効果】
本発明は、背負い具本体の上部に設けられた取付け部に対して着脱自在な第１のフックを上部肩ひもの一端に設け、前記上部肩ひもの下端部に係脱自在な係脱具の一方を設け、また前記上部肩ひもの下端部に長尺の調整ひもの一端を固着し、この調整ひもをリング、前記係脱具の他方に順次挿通し、更に調整具のひも掛け部に挿通して摩擦係合させ、前記リング及び前記調整具を連結帯に取付け、背負い具本体の下部に設けられた取付け部に対して着脱自在な第２のフックを前記連結帯に取付けたので、最適寸法に調整された調整ひもの長さが変化しなく快適に使用でき、かつ最適寸法の調整を容易に行なうことができ、また部品点数が削減できてコスト低減が図れる。
【図面の簡単な説明】
【図１】本発明の背負い具の一実施の形態を示す右側面図である。
【図２】係脱具を外した状態の右側面図である。
【図３】背負い具本体の斜視図である。
【図４】本発明の一方の背負い具用ひもの一実施の形態を示し、（ａ）は正面図、（ｂ）は側面図である。
【図５】他方の背負い具用ひものを示し、（ａ）は正面図、（ｂ）は側面図である。
【図６】本発明の背負い具の他の実施の形態を示す右側面図である。
【図７】本発明の一方の背負い具用ひもの他の実施の形態を示し、（ａ）は正面図、（ｂ）は側面図である。
【図８】バンド用ひもを示し、（ａ）は正面図、（ｂ）は側面図である。
【符号の説明】
１    バッグ本体
２    取付け部
３Ａ、３Ｂ    取付け部
１０    背負い具用ひも
１１    上部肩ひも
１２    フック
１３    調整ひも
１４    係脱具
１５    リング
１６    調整具
１６ａ    ひも掛け部
１７    連結帯
１８    フック
２０    背負い具用ひも
【図１】
0003590375.tif 000002
【図２】
0003590375.tif 000003
【図３】
0003590375.tif 000004
【図４】
0003590375.tif 000005
【図５】
0003590375.tif 000006
【図６】
0003590375.tif 000007
【図７】
0003590375.tif 000008
【図８】
0003590375.tif 000009